(57)【要約】【課題】インクジェット印刷法で印刷するに際し、ノズル毎の吐出バラツキによるムラを低減し、かつ視覚的なざらつき感を抑えたカラーフィルタ等を製造することができる吐出パターン生成方法を提供すること。【解決手段】セルラインに沿ってインクジェットノズルを走査しながらこのノズルから着色インクを吐出しながら印刷する着色パターンを形成するにあたり、各セルに必要な着色インクの量の平均インクジェットノズルの吐出によって基板に付着させることのできる量（標準ドロップ量）と、１回の吐出によっては付着させることのできない半端な量（調整ドロップ量）とに区分し、この調整ドロップ量を多値誤差拡散法によって前記セルライン上の各セルに振り分けることにより標準ドロップ量を調整して吐出パターンを生成する。【選択図】図７
2010224248.tif 000002
【特許請求の範囲】
【請求項１】
基板表面が多数のセルに区分されており、これら多数のセルのうち直線上に並ぶ複数のセルの列をセルラインとして、このセルラインに沿ってインクジェットノズルを走査しながらこのノズルから着色インクを吐出しこれらセルを着色して、ディスプレイの表示画面用着色パターンを形成するにあたり、各セルに必要な着色インクの量の平均と、１回の吐出によって基板に付着する着色インクの量（単位ドロップ量）とに基づいて、前記着色インクの吐出回数をノズルの着弾位置ごとに特定する吐出パターンを生成する方法であって、
前記単位ドロップ量に基づいて、各セルに必要な着色インクの量の平均を、インクジェットノズルの吐出によって基板に付着させることのできる量（標準ドロップ量）と、１回の吐出によっては付着させることのできない半端な量（調整ドロップ量）とに区分し、
この調整ドロップ量を多値誤差拡散法によって前記セルライン上の各着弾位置に振り分けることにより標準ドロップ量を調整して吐出パターンを生成することを特徴とする吐出パターンの生成方法。
【請求項２】
前記多値誤差拡散法が誤差拡散フィルタを用いる方法であることを特徴とする請求項１に記載の方法。
【請求項３】
前記誤差拡散フィルタが２行３列のフィルタであり、その１行目の係数を左から順番にＡ，Ｂ，Ｃ、２行目の係数を左から順番にＤ，Ｅ，Ｆとし、着目セルをＢ、拡散対象となるセルをＣ，Ｄ，Ｅ，Ｆとするとき、次の２つの式を充足するものであることを特徴とする請求項２に記載の方法。
Ｃ＝Ｄ＜Ｅ
Ｆ＝０
【請求項４】
前記誤差拡散フィルタの係数が、Ｃ＝２，Ｄ＝２，Ｅ＝７，Ｆ＝０であることを特徴とする請求項３に記載の方法。
【請求項５】
基板表面が多数のセルに区分されており、これら多数のセルのうち直線上に並ぶ複数のセルの列をセルラインとして、このセルラインに沿ってインクジェットノズルを走査しながらこのノズルから着色インクを吐出しこれらセルを着色して、ディスプレイの表示画面用着色パターンを形成するにあたり、各セルに必要な着色インクの量の平均と、１回の吐出によって基板に付着する着色インクの量（単位ドロップ量）とに基づいて、前記着色インクの吐出回数を着弾位置ごとに特定する吐出パターンを生成するする装置であって、
各セルに必要な着色インクの量の平均と、１回の吐出によって基板に付着する着色インクの量（単位ドロップ量）とを記憶するデータベースと、
前記単位ドロップ量に基づいて、各セルに必要な着色インクの量の平均を、インクジェットノズルの吐出によって基板に付着させることのできる量（標準ドロップ量）と、１回の吐出によっては付着させることのできない半端な量（調整ドロップ量）とに区分すると共に、
この調整ドロップ量を多値誤差拡散法によって前記セルライン上の各着弾位置に振り分けることにより標準ドロップ量を調整して吐出パターンを生成する演算装置と、
を備えることを特徴とする吐出パターン生成装置。
【請求項６】
請求項１〜４のいずれかに記載の吐出パターン生成方法により着色層を形成したことを特徴とするカラーフィルタ。
【請求項７】
請求項１〜４のいずれかに記載の吐出パターン生成方法により有機発光層を形成したことを特徴とする有機エレクトロルミネッセンス素子。
【発明の詳細な説明】
【技術分野】
【０００１】
本発明は、インクジェット印刷法を使用してディスプレイの表示画面用着色パターンを形成するにあたり、この表示画面を構成する各画素（セル）ごとにその特定する吐出パターンを生成する方法に関するものである。また、加えて、本発明は、この方法を実行する装置を提供する。本発明に係る表示画面用着色パターンとは、例えば、カラーの液晶ディスプレイに利用されるカラーフィルタであり、有機エレクトロルミネッセンスディスプレイに適用される有機エレクトロルミネッセンス素子（有機ＥＬ素子）である。
【背景技術】
【０００２】
例えば液晶ディスプレイに利用されるカラーフィルタは、従来、フォトリソグラフィー工程を繰り返す顔料分散法等が用いられてきた。しかし、そのコストダウン化を図るために、近年は工程数が少なく、カラーフィルタの各着色層を同時に形成することが可能なインクジェット装置を用いたインクジェット印刷法が検討されている。
【０００３】
この方法でカラーフィルタを製造する際には、まず、その基板に隔壁を設けて基板表面を多数の領域に区分し、こうして隔壁で区切った領域をセルとする。そして、これら多数のセルのうち一方向に直線状に並ぶ複数のセルの列をセルラインとして、このセルラインに沿ってインクジェットノズルを走査しながら、このノズルからカラーフィルタの各色に対応する着色インクを吐出し、これらセルを着色する。そして、一つのセル当たり複数回の吐出を繰り返して、これら各セルに必要な濃度の着色層を形成する。なお、前記隔壁は、吐出された着色インキが隣接するセルに流れ込むことを防ぐ役割を果たすものである。
【０００４】
一方、カラーフィルタとしては、画像表示装置等の高解像度化、それに伴う高精細化によって、年々微細化する傾向にある。カラーフィルタの画素の微細化に従って、インクジェットで塗工するパターンピッチは狭くなっていくため、インクジェットノズルからのインキの吐出量を少量でかつ均一となるように高い精度で制御する必要がある。このため、インクジェット装置を用いたカラーフィルタの製造方法においては、まず、複数のインクジェットノズルをノズルヘッドに設け、こうして複数のノズルを搭載したノズルヘッドをさらに集合整列させてノズルヘッドユニットとしている。そして、このノズルヘッドユニットを前記セルラインに沿って走査しながら着色インクを吐出してカラーフィルタを印刷するのである。したがって、この場合、前記セルラインは複数のインクジェットノズルので構成されるインクジェットノズルセットから吐出されたインクで着色されることになる。言い換えると、完成したカラーフィルタの前記セルラインに属するセルは、同一のインクジェットノズルセットから吐出されたインクで構成されるのである。
【０００５】
しかしながら、インクジェットノズルはそれぞれ個性をもっており、１回の吐出によって基板に付着する着色インクの量（単位ドロップ）は、それぞれのノズルによってわずかに異なる。また、これに伴い、それぞれのインクジェットノズルセットによって形成される前記セルラインに付着する着色インクの量は、対応するインクジェットノズルセットによってわずかに異なる。このため、単位ドロップの多いインクジェットノズルセットによって形成されたセルラインの濃度は高く、他方、単位ドロップの少ないインクジェットノズルセットによって形成されたセルラインの濃度は低くなり、この差が視覚的に各画素間の色ムラとして現われ、カラーフィルタの品質および歩留まりを低下させる原因となっていた。
【０００６】
そこで、単位ドロップの少ないインクジェットノズルセットを適用するセルラインにつ
いては、吐出回数を増やすことも考えられるが、吐出回数を増やせばこのインクジェットノズルによって形成されたセルラインの濃度は高くなるため、要求品質に適合せず、また、別の色ムラが発生する結果となる。
【０００７】
このような問題を解決するため、セルラインを構成する複数のセルを特定領域と非特定領域とに区別し、この特定領域に吐出する回数を非特定領域に吐出する回数と変えて、セルライン全体として、要求品質に適合する着色層を形成する方法が提案されている（特許文献１）。そして、この方法によれば、特定領域と非特定領域との配置は乱数によって決定される。このため、画面全体を観察したときに各セルの濃淡の違いは認識されないのである。
【先行技術文献】
【特許文献】
【０００８】
【特許文献１】特開２００７−１７８９５６号公報
【発明の概要】
【発明が解決しようとする課題】
【０００９】
しかしながら、特許文献１の方法では、特定領域と非特定領域との配置は乱数を用いて決定することから、各セルの濃淡の違いによって、その振幅スペクトルに、人間の目にノイズとして検知される周波数成分が含まれることがある。この結果、視覚的にざらつき感を与えるという問題があった。
【００１０】
なお、カラーフィルタの場合、視覚的にざらつき感を与えるセルのピッチは数１００μｍ程度であるため、カラーフィルタからそのざらつき感を取り除くことは極めて困難なのである。
【００１１】
そこで、本発明は、色ムラを低減し、かつ、視覚的なざらつき感を抑えた高品質なカラーフィルタ及び有機機能性素子を製造することができる吐出パターン生成方法を提供することを課題としている。
【課題を解決するための手段】
【００１２】
すなわち、請求項１に記載の発明は、
基板表面が多数のセルに区分されており、これら多数のセルのうち直線上に並ぶ複数のセルの列をセルラインとして、このセルラインに沿ってインクジェットノズルを走査しながらこのノズルから着色インクを吐出しこれらセルを着色して、ディスプレイの表示画面用着色パターンを形成するにあたり、各セルに必要な着色インクの量の平均と、１回の吐出によって基板に付着する着色インクの量（単位ドロップ量）とに基づいて、前記着色インクの吐出回数を着弾位置ごとに特定する吐出パターンを生成する方法であって、
前記単位ドロップ量に基づいて、各セルに必要な着色インクの量の平均を、インクジェットノズルの吐出によって基板に付着させることのできる量（標準ドロップ量）と、１回の吐出によっては付着させることのできない半端な量（調整ドロップ量）とに区分し、
この調整ドロップ量を多値誤差拡散法によって前記セルライン上の各着弾位置に振り分けることにより標準ドロップ量を調整して吐出パターンを生成することを特徴とする吐出パターンの生成方法である。
【００１３】
この発明によれば、１回の吐出によって付着させることのできない半端な量のインクについて前記セルライン上の各着弾位置に割り当て、これを前記標準ドロップ量に振り分ける吐出パターンを生成しているから、画面全体を観察したときに各セルの濃淡の違いは認識されず、しかも、前記割り当てを多値誤差拡散法によって行っているから、画面の粒状度を低下させて、視覚的なざらつき感を抑えることが可能となる。
【００１４】
次に、請求項２に記載の発明は、特定の多値誤差拡散法を利用することにより、さらに画面の粒状度を低下させ、一層そのざらつき感を抑えることを可能としたものである。
【００１５】
すなわち、請求項２に記載の発明は、前記多値誤差拡散法が誤差拡散フィルタを用いる方法であることを特徴とする請求項１に記載の方法である。
【００１６】
また、請求項３に記載の発明は、前記誤差拡散フィルタが２行３列のフィルタであり、その１行目の係数を左から順番にＡ，Ｂ，Ｃ、２行目の係数を左から順番にＤ，Ｅ，Ｆとし、着目セルをＢ、拡散対象となるセルをＣ，Ｄ，Ｅ，Ｆとするとき、次の２つの式を充足するものであることを特徴とする請求項２に記載の方法である。
【００１７】
Ｃ＝Ｄ＜Ｅ
Ｆ＝０
請求項３に記載の発明によれば、隣接する開口部間の色ムラを低減し、かつざらつき感を低減することができる。
【００１８】
また、請求項４に記載の発明は、前記誤差拡散フィルタの係数が、Ｃ＝２，Ｄ＝２，Ｅ＝７，Ｆ＝０であることを特徴とする請求項３に記載の方法である。この発明によれば、数１００μｍピッチで並ぶ開口部からなるパターンを、ディスプレイの一般的な観察距離（２５０ｍｍから１０００ｍｍ）で観察した際の色ムラとざらつき感を同時に低減することができる。
【００１９】
次に、請求項５に記載の発明は、請求項１の生成方法を実行する装置に関するものである。
【００２０】
すなわち、請求項５に記載の発明は、
基板表面が多数のセルに区分されており、これら多数のセルのうち直線上に並ぶ複数のセルの列をセルラインとして、このセルラインに沿ってインクジェットノズルを走査しながらこのノズルから着色インクを吐出しこれらセルを着色して、ディスプレイの表示画面用着色パターンを形成するにあたり、各セルに必要な着色インクの量の平均と、１回の吐出によって基板に付着する着色インクの量（単位ドロップ量）とに基づいて、前記着色インクの吐出回数を着弾位置ごとに特定する吐出パターンを生成するする装置であって、
各セルに必要な着色インクの量の平均と、１回の吐出によって基板に付着する着色インクの量（単位ドロップ量）とを記憶するデータベースと、
前記単位ドロップ量に基づいて、各セルに必要な着色インクの量の平均を、インクジェットノズルの吐出によって基板に付着させることのできる量（標準ドロップ量）と、１回の吐出によっては付着させることのできない半端な量（調整ドロップ量）とに区分すると共に、
この調整ドロップ量を多値誤差拡散法によって前記セルライン上の各着弾位置に振り分けることにより標準ドロップ量を調整して吐出パターンを生成する演算装置と、
を備えることを特徴とする吐出パターン生成装置である。
【００２１】
また、請求項６〜７に記載の発明は、請求項１〜４に記載の生成方法を使用して得られた物品に関するものである。
【００２２】
すなわち、請求項６に記載の発明は、請求項１〜４のいずれかに記載の吐出パターン生成方法により着色層を形成したことを特徴とするカラーフィルタであり、請求項７に記載の発明は、請求項１〜４のいずれかに記載の吐出パターン生成方法により有機発光層を形成したことを特徴とする有機エレクトロルミネッセンス素子である。
【発明の効果】
【００２３】
以上のように、本発明によれば、画面全体を観察したときにそのむらを観察できず、しかも、視覚的なざらつき感を抑えることが可能となるという効果を奏する。
【図面の簡単な説明】
【００２４】
【図１】インクジェット印刷装置の全体構成を示す概略図
【図２】シェアウェーブモードのインクジェットノズルヘッドのノズル概略図
【図３】シェアウェーブモードのインク吐出動作フローチャート
【図４】インクジェットノズルヘッドの複数のノズルから、インクを吐出するノズルを選択する概略図
【図５】本発明に係る平均吐出回数の求め方を説明するための図
【図６】本発明に係る調整吐出回数の配置例を示す図
【図７】本発明に係わる単位ドロップとの差を配分するフィルタの係数例を示す図
【図８】ＶＴＦ曲線を表す図
【図９】色ムラの周期を表す概念図
【図１０】本発明に係わる単位ドロップとの差を配分するフィルタの係数例を示す図
【図１１】色ムラ調整を行う前後の隣接輝度差のヒストグラムを示す図
【図１２】濃度分布の測定結果より求めた粒状度の比較を示す図
【発明を実施するための形態】
【００２５】
（インキジェット印刷法）
本発明に係る吐出パターンの生成技術を説明するに先立ち、その前提となるインキジェット印刷法について、カラーフィルタを印刷する場合を例として説明する。
【００２６】
図１は、インキジェット印刷装置の全体構成の一例である。インキジェット印刷装置には、インクジェットノズルヘッドユニット２が搭載されており、このインクジェットノズルヘッドユニット２にはインクジェットノズルヘッド１が複数個配列されている。また、このインクジェットノズルヘッド１には複数のインクジェットノズルが複数列組み合わせて配置されている。特定のノズルヘッド１に属する複数列のノズルは、同一色の着色インクを吐出するもので、したがって、着色インクの色彩の数と同一かそれ以上の数のノズルヘッド１がヘッドユニット２に搭載されている。一般に、ディスプレイ用のカラーフィルタは赤色（Ｒ）、緑色（Ｇ）及び青色（Ｂ）の三色で構成されることから、ノズルヘッド１の数も３以上である。
【００２７】
そして、印刷対象の基板を基板置き台３に載置し、ヘッドユニット２を主走査方向に移動させながら、この基板上に画像描画を行って、カラーフィルタを製造する。このとき、この主走査方向に沿ってセルラインが発生する。すなわち、特定のインクジェットノズルは、前記ヘッドユニットの移動と共に主走査方向に移動しながら着色インクを吐出して印刷するから、このインクジェットノズルによって印刷された部分はその移動方向、すなわち、主走査方向に沿った直線状に配置され、セルラインを構成するのである。主走査方向の印刷が終了した後、ヘッドユニット２を１ピッチ副走査方向に移動させ、再び主走査方向に印刷する。
【００２８】
なお、印刷対象の基板は、この印刷に先立ち、その表面に隔壁を設けて、この隔壁によって多数のセルに区分しておくことが望ましい。そして、基板置き台３は、主走査方向と直行する副走査方向に移動可能であり、さらにθ方向に回転可能に構成されている。θ方向に回転可能なため、基板置き台の上に置かれた基板の隔壁とインクジェットノズルヘッドユニットを平行に合わせることができ、副走査方向に動作させることで画像描画を行うことができる。また、基板置き台には図示されていないが吸着機構を備えており、基板置
き台におかれた基板を固定することが可能である。
【００２９】
次に、ノズルヘッド１は、複数のノズルが配置された構成のものであれば適用可能であるが、例えば、図２のように、一列に配置されたノズルが、複数組み合わされているものを用いることができる。図２はインクジェットノズルヘッド１の断面図の模式図であり、複数のノズルが行に沿って配列しており、この行が３列組み合わされている。そして、これらのノズルの位置は、その行によって少しずつずれている。そして、同一の行に属する複数のノズルは、同一のタイミングで着色インクを吐出し、異なる行に属する複数のノズルは、異なるタイミングで着色インクを吐出する。すなわち、各行をノズルＡ相、ノズルＢ相、ノズルＣ相（以下Ａ相、Ｂ相、Ｃ相と記す）と呼ぶと、インキが吐出されるタイミングはＡ相、Ｂ相、Ｃ相の順でずれる。この方式（シェアウェーブモード）では各ノズルの間隔、Ａ相とＢ相との間隔、Ｂ相とＣ相との間隔を狭めることができ、高密度なインクジェットノズルヘッドとすることができるために、高精細な吐出パターン形成が必要なカラーフィルタの製造に適している。
【００３０】
そして、各相に属するノズルの吐出タイミングを制御するため、このインクジェットノズルヘッド１は、Ａ相、Ｂ相、Ｃ相に対応するバッファ（ラインバッファ）を備えていて、各相のラインバッファは相互に情報を転送することができる。このインクジェットノズルヘッドから吐出されるまでの簡単な動作フローを図３に示す。
【００３１】
すなわち、まず、Ａ相ラインバッファが、吐出パターン情報を受けとり、その転送された情報のうちＡ相に関する情報に基づいてＡ相インキ吐出口から吐出を開始する。また、Ａ相インキ吐出口から吐出開始と同時に、吐出パターン情報をＡ相ラインバッファからＢ相ラインバッファに転送する。Ａ相インキ吐出口から吐出終了後、Ｂ相インキ吐出口は、転送された吐出パターン情報のうちＢ相に関する情報に基づいて吐出を開始する。また、Ｂ相インキ吐出口から吐出開始と同時に、吐出パターン情報をＢ相ラインバッファからＣ相ラインバッファに転送する。Ｂ相インキ吐出口から吐出終了後、Ｃ相インキ吐出口は、転送された吐出パターン情報のうちＣ相に関する情報に基づいて吐出を開始する。Ｃ相インキ吐出口から吐出終了後、ラインカウンターにて設定回数ライン吐出を行ったかどうかの判定を行い、設定回数の吐出が行なわれていなければ、吐出パターン情報をＡ相ラインバッファに転送する。再び、Ａ相インキ吐出口は吐出パターン情報に基づいて吐出開始する。以下、前述した動作をライン数分繰り返し行い、カラーフィルタの着色パターンを形成する。
【００３２】
なお、吐出パターン情報に基づいてノズルヘッド１のノズルからインキを吐出するためには、インクジェット印刷装置にインクジェットノズルヘッドコントローラー４を接続すればよい。このコントローラー４には、特定のノズルの吐出についての吐出パターン情報と、ノズルヘッドを駆動させるインクジェットノズルヘッドパラメータ情報とが格納されており、ノズルヘッド１と基板との相対的な位置関係に基づいて適切なタイミングで前記吐出パターン情報を各ノズルに転送し、インクジェットノズルヘッドパラメータ情報に基づいて吐出する。
【００３３】
なお、前記インクジェットノズルヘッドパラメータ情報として、インクジェットノズルヘッドごとに最適の電圧値のパラメータを設定できることが好ましい。全てのインクジェットノズルヘッドの駆動電圧を同じ値に設定すると、インクジェットノズルヘッドから吐出される液滴の量が個体差により変わるため、基板内にインキを均一に吐出することができなくなるおそれがある。ノズルヘッド１ごとに最適の電圧値のパラメータを設定できるようにすることによって、ノズルヘッド１ごとの吐出量を制御することが可能となり、各セルの吐出量を調整することができる。
【００３４】
また、前記位置関係は、予め入力された基板の位置情報と、ノズルヘッド１の位置情報に基づいて算出するものである。基板の位置情報としては、予め基板に設けられた隔壁パターンのピッチ、目的とするカラーフィルタのサイズ、画素部のパターン（ストライプ配列、セル配列、モザイク配列等の情報配列パターンを含む）等がある。また、ノズルヘッド１の位置情報としては、ノズルヘッド１や置き台の移動量等がある。
【００３５】
そして、このノズルヘッド１の位置情報から、それぞれのノズルから吐出されるインキの着弾位置を算出して、その着弾位置が目的とするセルの内部に位置するか否かを判断し、その着弾位置が適切と判断されたノズルのみを使用して前記吐出パターン情報を生成することが望ましい。着弾位置が不適切とされる場合には、例えば、そのノズルが物理的に吐出できないものである場合、そのノズルが目的とするセルに対面していない場合、あるいは、ノズルが斜め方向を向いていて、目的とするセルの外に着弾する場合などがある。
【００３６】
図４は、それぞれのノズルの着弾位置が適切か否かを判断して、インクを吐出するノズルを選択する方法を説明するための概略図である。ノズルヘッドのノズル５のうち、カラーフィルタ基板のセルの直上部にあたるノズルについては着弾位置が適切と判断し、インクを吐出するノズルとして選択される。他方、それ以外のノズルは不適切と判断し、インクを吐出しないノズルとされる。そして、これらの結果に基づいて選択された複数のノズルが、セルラインを形成するノズルセットとなる。これら複数のノズルのそれぞれに対応する着弾位置は、後述する調整工程において「画素」として扱われる。
【００３７】
（標準標準ドロップ量及び調整標準ドロップ量の算出）
次に、本発明の吐出パターンを生成する際に必要な標準標準ドロップ量と調整標準ドロップ量の算出方法を説明する。
【００３８】
いうまでもなく、特定のセルラインに属するセルは、すべて、設計値とおりの着色濃度を有することが望ましい。この場合、これらセルは、すべて、同一の着色濃度を有することになる。
【００３９】
ところで、各セルに吐出された着色インクの量は１回の吐出によってノズルから基板に吐出される着色インクの量（単位ドロップ量）と、吐出回数すなわちノズルから吐出された液滴の数（ドロップ数）によって決定されるから、各セルに吐出された着色インクの量は単位ドロップ量の整数倍でなければならない。そして、各セルの着色濃度は、各セルに吐出された着色インクの量と着色インクの濃度とで決定されるから、その着色濃度も単位ドロップ量によって制約される。したがって、各セルの着色濃度として任意の値を選択できるわけではない。そこで、着色濃度の設計値に対応する着色インクの量は、インクジェットノズルの吐出によって基板に付着させることのできる量（標準ドロップ量）と、１回の吐出によっては付着させることのできない半端な量（調整ドロップ量）とに区分することができる。もちろん、調整ドロップ量は、１回の吐出によってノズルから基板に吐出される着色インクの量（単位ドロップ量）より少ない量である。後述する仮設例では、単位ドロップ量が９．８ｐｌ、調整ドロップ量は０．８ｐｌである。
【００４０】
そこで、本発明においては、調整ドロップ量を、そのセルラインに属する着弾位置に振り分けて、セルライン全体として前記設計値とおりの着色濃度を実現する。
【００４１】
ところで、前記単位ドロップ量については規格値があるものの、ノズルの個性に応じてこの規格値とはわずかに異なることが多い。そこで、まず、それぞれのノズルの単位ドロップ量を、実験によって算出する。
【００４２】
図５は単位ドロップ量の求め方を説明する図である。図５はＲＧＢセルの配列を模式図
で示しており、主走査方向（図５の列方向）にＲセルが１０個、Ｇセルが１０個、Ｂセルが１０個各々連続に形成されており、該連続したＲ，Ｇ，Ｂのセルが副走査方向（図５では行方向）に９列形成されている。まず、カラーフィルタの全面のＲＧＢセルをインクジェットパターン形成装置によってテスト的に形成する。次に、例えば、Ｂ１、Ｂ２に沿ったＲＧＢの各セルの膜厚を膜厚計によって計る。この膜厚と着色インクの量とは比例関係があるから、この膜厚を用いてこれらセルに吐出された総量を算出することができる。そして、この総量をノズルの吐出回数（ドロップ数）で割ることにより、単位ドロップ量を算出することができる。
【００４３】
仮の例を挙げて詳細に説明すると、例えば、斜線で示したＲセルの１０個の各セルに対して、１ノズルあたり規格値１０ｐｌを吐出するノズルで、２μｍの膜厚を形成するテストを行う。この２μｍの膜厚に対応する着色インクの量は４００ｐｌである。すなわち、各セルに必要な着色インクの量の平均は４００ｐｌである。また、着色インクの量と膜厚とは、着色インクの量／膜厚＝４００ｐｌ／２０００ｎｍ＝０．２ｐｌ／ｎｍの関係にある。したがって、このテストにおいては、各セルに４０回の吐出を行う（ドロップ数４０）。
【００４４】
この結果、得られた着色膜の膜厚が１．９６μｍであったとする。そうすると、このセルに吐出された着色インクの総量は、１９６０ｎｍ＊０．２ｐｌ／ｎｍ＝３９２ｐｌであることが分かる。そして、このノズルの単位ドロップ量は、３９２ｐｌ／４０回＝９．８ｐｌであることが分かる。
【００４５】
次に、各セルに必要な着色インクの量の平均４００ｐｌを、標準ドロップ量と調整ドロップ量とに分離する。標準ドロップ量は、各セルに必要な着色インク量の平均のうち、ノズルの吐出によって基板に付着させることのできる量であり、単位ドロップ量の整数倍である。この例では、９．８ｐｌ×４１回＝４０１．８ｐｌである。
【００４６】
また、調整ドロップ量は、各セルに必要な着色インク量の平均のうち、１回の吐出によっては付着させることのできない半端な量で、単位ドロップ量より少ない量である。正負いずれの数値でもよい。この調整ドロップ量は、各セルに必要な着色インクの量の平均４００ｐｌから標準ドロップ量４０１．８ｐｌを引いて求めることができる。この例では、４００ｐｌ―４０１．８ｐｌ＝―１．８ｐｌである。
【００４７】
以上を整理すると、次の３つの式で表現することができる。
【００４８】
【数１】
2010224248.tif 000003
ここで、ａは標準ドロップ量に対応するドロップ数を意味する。Ｉは、各セルに必要な着色インク量の平均である。また、ｄは単位ドロップ量である。すなわち、第１式は、各セルに必要な着色インク量の平均から、標準ドロップ量に対応するドロップ数を算出することを示す式である。前記例では、Ｉ＝４００ｐｌ、ｄ＝９．８ｐｌで、ａ＝４１回である。
【００４９】
また、Ｓは標準ドロップ量である。すなわち、第２式は、標準ドロップ量に対応するドロップ数ａに単位ドロップ量ｄをかけて標準ドロップ量Ｓを算出することを示す式である。前記例では、ａ＝４１回、ｄ＝９．８ｐｌで、Ｓ＝４０１．８ｐｌである。
【００５０】
また、Ｘは調整ドロップ量である。すなわち、第３式は、各セルに必要な着色インク量の平均Ｉから標準ドロップ量Ｓ＝ａ＊ｄを引いて調整ドロップ量Ｘを算出することを示す式である。前記例では、Ｉ＝４００ｐｌ、Ｓ＝ａ＊ｄ＝４０１．８ｐｌで、Ｘ＝―１．８ｐｌである。
【００５１】
（標準ドロップ量の調整）
次に、標準ドロップ量を調整する方法について説明する。標準ドロップ量の調整は、前記調整ドロップ量を多値誤差拡散法によって前記セルライン上の各着弾位置に振り分けることにより標準ドロップ量を調整するものである。そして、この調整によって、セルライン上の各セルに吐出される着色インクの量の平均は、設計値とほぼ等しくされる。また、この値は、各セルに必要な着色インク量の平均Ｉとほぼ等しい。このため、ディスプレイの画面全体を観察した場合、濃度むらのない画面として知覚することができる。
【００５２】
また、この調整は多値誤差拡散法によって前記セルライン上の各セルに振り分けることによって行うため、得られたカラーフィルタは粒状度が低く、ざらつき感の少ないものとなる。
【００５３】
次に、多値誤差拡散法による振り分けについて説明する。多値誤差拡散法による振り分けには、例えば、誤差拡散フィルタを使用することができる。
【００５４】
誤差拡散フィルタを使用して振り分ける場合には、まず、前記調整ドロップ量を基準データとして、その配置図を準備する。図６に求められた基準データの例を示す。図６は単色の基準データの配置図であり、縦軸（列方向）は主走査方向、横軸（行方向）は副走査方向を示している。また、図６は、マトリクス状に配置された多数の画素と、この画素のそれぞれに対応する基準データ（調整ドロップ量）とを示している。
【００５５】
すなわち、図４に示す複数のインクジェットノズル６は、図６においては、横軸方向に並んで配置されており、これら複数のインクジェットノズル６を主走査方向（縦軸方向）に走査しながら、それぞれのノズルから各画素に着色インクを吐出して印刷する。なお、前述したように、「画素」はそれぞれのインクジェットノズル６の着弾位置に対応している。そして、このため、主走査方向（列方向）に並ぶ複数の画素の基準データ（調整ドロップ量）は同一の値である。また、副走査方向（行方向）に並ぶ複数の画素については、特定の画素に対応するノズルと、これに副走査方向（行方向）に並ぶ画素に対応するノズルとが異なり、これらのノズルは単位ドロップ量が互いに異なるため、その基準データ（調整ドロップ量）も互いに異なっている。
【００５６】
そして、隅部の画素を始点として、多値誤差拡散処理を開始する。図６の例では、図６左上の画素を最初の着目画素として多値誤差拡散処理を開始する。なお、ここでは、図７の誤差拡散フィルタを使用して説明する。
【００５７】
着目画素から見て右隣の画素は、図７のフィルタ係数の合計値１６と、着目画素の右隣の係数７より、７／１６＊Ｘで求められる値を基準データにプラスする。以下、左下、下、右下と順番に該当する方向のフィルタ係数を用いて計算を実施する。次に着目画素を右隣のセルとして同様の計算を行う。１行目の画素全ての計算が終了したら、２行目の画素について同様に左端から右端に向かって計算を行う。以下、３行目から最終行まで同様に計算を行い、右下のセルで計算を終了する。なお、着目画素の選択手順はこの例に限定されるわけではない。例えば、奇数行は左端の画素から右端の画素に向かって計算し、偶数行は反対方向に計算することも可能である。
【００５８】
そして、この計算結果が、それぞれのノズルの単位ドロップ量を超えた場合、標準ドロップ量を調整して、吐出回数すなわちドロップ数を修正する。この修正を、前記画素のすべてについて繰り返して本発明にかかる吐出パターンを生成することができる。
【００５９】
次に、ざらつき感の少ない誤差拡散フィルタについて説明するにあたり、まず、ざらつ
き感の評価方法について説明し、次に、種々の誤差拡散フィルタを使用した場合のざらつき感の結果を説明する。そして、この結果から、ざらつき感の少ない誤差拡散フィルタの内容について説明する。
【００６０】
ざらつき感は、物理的量とこの物理的量に対する人間の内的な感覚との双方に関係する心理物理学的量である。しかし、後述する実施例から分かるように、このざらつき感は、物理的量である粒状度によって評価することができる。
【００６１】
すなわち、まず、画像の振幅スペクトルとＶＴＦ（Ｖｉｓｕａｌ  Ｔｒａｎｓｆｅｒ  Ｆｕｎｃｔｉｏｎ）曲線とに基づいてウィナースペクトルＷＳを算出し、このウィナースペクトルＷＳの積分値を粒状度として、前記ざらつき感を評価することができる。
【００６２】
本発明に係る画像の振幅スペクトルＦ（ｐ，ｑ）は、カラーフィルタ全体のセルに対する液量分布に基づくものである。
【００６３】
また、ＶＴＦは、入力画像に対する各種光学部材の出力画像のコントラストや解像度の再現性を表すＭＴＦ（Ｍｏｄｕｌａｔｉｏｎ  Ｔｒａｎｓｆｅｒ  Ｆｕｎｃｔｉｏｎ）の一種である。図８に２８６ｍｍの観察距離におけるＶＴＦ曲線を示す。図８より、ＶＴＦ曲線は１ｃｙｃｌｅ／ｍｍにピークを持つバンドパス特性を示している。
【００６４】
ところで、カラーフィルタの色ムラにおいて最も周期の短い色ムラは、図９上段に示すとおり、隣り合うセル間で明暗を繰り返す場合（０．５ｃｙｃｌｅ／ｃｅｌｌ）である。カラーフィルタのセルの幅はおよそ５００μｍ程度であるから、０．５ｃｙｃｌｅ／ｃｅｌｌは１ｃｙｃｌｅ／ｍｍとなり、これがムラに関わる最大周波数となる。
【００６５】
そこで、副走査方向のセル列からなるパターンの周波数成分をｐ［ｃｙｃｌｅｓ／ｍｍ］、主走査方向のセル列からなるパターンの周波数成分をｑ［ｃｙｃｌｅｓ／ｍｍ］、観察距離をＲ［ｍｍ］とするとき、ＶＴＦ曲線ＶＴＦ（ｐ，ｑ）は次式で表される。
【００６６】
【数２】
2010224248.tif 000004
そこで、カラーフィルタ全体のセルに対する液量分布の前記振幅スペクトルＦ（ｐ，ｑ）とＶＴＦ曲線を掛け合わせ、二乗してウィナースペクトルＷ（ｐ，ｑ）を求めることができる。
【００６７】
【数３】
2010224248.tif 000005
そして、このウィナースペクトルＷＳ（ｐ，ｑ）の積分値を粒状度Ｇとする。粒状度Ｇの値が小さいほど人間の目にざらつき感を感じさせる成分が少ないと評価できる。
【００６８】
【数４】
2010224248.tif 000006
Ｎｘ：副走査方向のセル数  Ｎｙ：主走査方向のセル数
次に、各種の誤差拡散フィルタを使用した場合のざらつき感の結果を説明する。図１０（ａ）は２行３列の誤差拡散フィルタを示しており、Ａ〜Ｆは対応する画素に対する係数を意味する。このうち、Ｂは着目画素に対応する。また、Ａは着目画素Ｂから見て左側の画素の係数で、すでに計算が終了した画素なので常に０が入る。Ｃは着目画素Ｂから見て右側の画素、Ｄは着目画素Ｂから見て左下側の画素、Ｅは着目画素Ｂから見て下側の画素、
Ｆは着目画素Ｂから見て右下側の画素に、それぞれ、対応する係数である。
【００６９】
次に、図１０（ｂ）〜（ｇ）は、図１０（ａ）のＡ〜Ｆに具体的数値を当てはめた各種
の誤差拡散フィルタの例と、前述の方法で取得した基準データにそれぞれの誤差拡散フィルタを用いたときの粒状度Ｇを計算した結果である。セルのピッチは５００μｍであり、観察距離は２５０ｍｍとした。用いる基準データによって粒状度Ｇの値は変化するが、各誤差拡散フィルタの粒状度の上下関係は変わらなかった。このうち、粒状度Ｇの値が０．１以下であるのは、図１０（ｂ）、図１０（ｆ）、図１０（ｇ）のフィルタである。
【００７０】
本発明において、例示した誤差拡散フィルタ以外にも複数の数字の組み合わせで誤差拡散フィルタを設計した結果、２行３列の誤差拡散フィルタについては図１０（ａ）の係数が下記の条件を満たすとき粒状度が低くなることが分かった。なお、前記図１０（ｂ）、図１０（ｆ）、図１０（ｇ）のフィルタは、いずれもこの条件を満足している。
【００７１】
・Ｃ＝Ｄ＜Ｅ
・Ｆ＝０
特に、本発明で設計した図１０（ｆ）の誤差拡散フィルタは、複数の基準データについて観察距離２５０ｍｍから１０００ｍｍにおける粒状度を計算した結果、いずれの場合も最も小さい粒状度が得られた。図１０（ｆ）のＡ〜Ｆの各係数は、Ｃ＝２，Ｄ＝２，Ｅ＝７，Ｆ＝０である。
【００７２】
（この生成方法を実行する装置）
次に、この生成方法は、特定の情報を記憶したデータベースと、その情報に基づく演算を実行する演算装置とを備える装置で実行することができる。具体的には、前記データベースは、各セルに必要な着色インクの量の平均と、１回の吐出によって基板に付着する着色インクの量（単位ドロップ量）とを記憶していればよい。また、前記演算装置は、前記単位ドロップ量に基づいて、各セルに必要な着色インクの量の平均を、インクジェットノズルの吐出によって基板に付着させることのできる量（標準ドロップ量）と、１回の吐出によっては付着させることのできない半端な量（調整ドロップ量）とに区分すると共に、
この調整ドロップ量を多値誤差拡散法によって前記セルライン上の各セルに振り分ける標準ドロップ量を調整して吐出パターンを生成することができればよい。
【００７３】
（本発明を使用した素子の製造方法）
本発明は、インクジェット法を用いたパターンの形成において、吐出量の差を軽減し、ムラをなくすものであるから、インクジェット法を用いた素子の作製に適用可能である。以下に本発明を用いた素子の製造方法の例として、まず、カラーフィルタ及び有機エレクトロルミネッセンス素子（有機ＥＬ素子）の製造方法を説明する。
【００７４】
カラーフィルタあるいは有機ＥＬ素子のいずれの素子の製造についても、基板上に隔壁を形成し、そこにセルを形成することにより作製できる。
【００７５】
基板について以下に説明する。基板は、印刷物の支持基板として用いるものである。目的とする光学素子により、基板の種類は異なるが、例えば、ガラス基板、石英基板、プラスチック基板、ドライフィルム等、公知の透明基板材料を使用することができる。中でもガラス基板は、カラーフィルタ、有機ＥＬ素子用途において、透明性、強度、耐熱性、耐候性において優れている。
【００７６】
隔壁について以下に説明する。本発明ではインクジェット印刷装置により基板にインキを付与し、カラーフィルタあるいは有機機能性素子を形成する。異なる種類のインキ同士の混色（又は混合）を防止するため、基板上に予め隔壁を形成することが好ましい。
【００７７】
隔壁は、基板の表面を多数の領域に区分けすると共に、この多数の領域のそれぞれに吐出されたインキの混色を防止する機能を有するものである。混色を防止するため、隔壁に
は一定の撥インキ作用を示すものを用いることが望ましい。例えば、撥インキ剤を含む樹脂組成部により隔壁を形成する方法、樹脂組成物により形成した隔壁にプラズマ処理を行い撥インキ性を付与する方法、隔壁を光触媒層とともに形成し光触媒作用により隔壁に撥インキ性を付与する方法などを例示することができる。また、ディスプレイの表示画面を構成するカラーフィルタ、有機ＥＬ素子においては、この隔壁に遮光性を付与することで、表示画面のコントラストを向上させることができる。いずれの場合であっても、隔壁を樹脂組成物より形成する場合には、樹脂バインダーと撥インキ剤とを必須成分として含有する必要がある。
【００７８】
隔壁は印刷法、フォトリソグラフィー法等の公知の隔壁形成方法により形成することができる。
【００７９】
カラーフィルタの製造方法について以下に説明する。カラーフィルタを形成する場合、まず前記の基板上に、上記の方法で隔壁を形成する。着色インキを使用して、本発明の吐出パターン形成装置により着色層を形成する。着色インキは、着色顔料、溶媒、樹脂バインダーを必要に応じて含むことができる。
【００８０】
有機ＥＬ素子の製造方法について以下に説明する。有機ＥＬ素子を形成する場合にもまず前記の基板上に、隔壁を形成する。インキに有機発光材料を含むものとし、本発明の吐出パターン生成装置及び吐出方法を用いて基板上に吐出、有機機能層を形成し製造することができる。このインキは、有機発光材料、溶媒、樹脂バインダーを、必要に応じて含むことができる。溶媒、樹脂バインダーは、前記隔壁の形成で掲げたものと同様の材料を使用することができる。
【００８１】
有機発光材料について以下に説明する。有機発光材料としては、有機溶剤に可溶な有機発光材料が適用できる。例えば、クマリン系、ペリレン系、ピラン系、アンスロン系、ポルフィレン系、キナクリドン系、Ｎ，Ｎ’−ジアルキル置換キナクリドン系、ナフタルイミド系、Ｎ，Ｎ’−ジアリール置換ピロロピロール系、イリジウム錯体系等の有機発光材料である。また、この有機発光材料を高分子中に分散させたものも使用できる。高分子としては、ポリスチレン、ポリメチルメタクリレート、ポリビニルカルバゾール等が例示できる。また、有機発光材料として高分子有機発光材料も使用できる。例えば、ポリアリーレン系、ポリアリーレンビニレン系やポリフルオレン系などの高分子有機発光材料である。
【実施例】
【００８２】
隔壁の形成方法を以下に説明する。撥インキ性を付与する材料を含有した感光性樹脂組成物として、下記組成比で配合した黒色感光性樹脂組成物を用いた。基板としては無アルカリガラス（１７３７：コーニング（株）製）を用い、その上にこの黒色感光性樹脂組成物をスピンコート法により塗布し、温度９０℃のホットプレートにて１分間プリベーク処理をして基板上に膜厚２．０μｍの被膜を形成した。
【００８３】
感光性樹脂組成物の組成は、次のとおりである。
シクロヘキサノン（沸点１５５．７℃）  ８０重量部
クレゾール−ノボラック樹脂：ＥＰ４０５０Ｇ（旭有機材工業（株）製）  １５重量部
メラミン樹脂：ＭＷ３０（三和ケミカル（株）製）  ５重量部
カーボン顔料：ＭＡ−８（三菱マテリアル（株）製）  ２３重量部
分散剤：ソルスパース５０００（ゼネカ（株）製）  １．４重量部
ラジカル重合性を有する化合物：トリメチロールプロパントリアクリレート（大阪有機化学工業社製）  ５重量部
光重合開始剤：イルガキュア３６９（チバスペシャリティケミカルズ（株）製）２重量部
含フッ素化合物：モディパーＦ−６００（日本油脂（株）製、質量平均分子量３５０００）５重量部
続いてストライプ状のパターンであるフォトマスクを用いて、超高圧水銀灯により１００ｍＪ／ｃｍ２の露光処理を施し、さらに現像処理を行うことで所望される隔壁パターンを得た。その後、熱風式焼成炉内にて加熱処理を施した。
【００８４】
着色インキの調整について以下に説明する。下記組成物を、窒素雰囲気下でアゾビスイソブチルニトリル０．７５重量部を加え、７０℃，５時間の条件で反応させ、アクリル共重合体樹脂を得た。
【００８５】
着色インキ組成物の組成は、次のとおりである。
メタクリル酸  ２０重量部
メチルメタクリレート  １０重量部
ブチルメタクリレート  ５５重量部
ヒドロキシエチルメタクリレート  １５重量部
乳酸ブチル  ３００重量部
次に、得られたアクリル共重合体樹脂が、全体に対して１０重量％になるようにプロピレングリコールモノメチルエーテルアセテートを用いて希釈し、アクリル共重合体樹脂の希釈液を得た。
【００８６】
この希釈液８０．１ｇに対し、着色顔料１９．０ｇ、分散剤としてポリオキシエチレンアルキルエーテル０．９ｇを添加して、３本ロールにて混練し、赤色、緑色、青色の各着色ワニスを得た。なお、赤色顔料として、ピグメントレッド１７７を、緑色顔料としてピグメントグリーン３６を、青色顔料としてピグメントブルー１５を、各々使用した。
【００８７】
得られた各着色ワニスに、プロピレングリコールモノメチルエーテルアセテートを、その顔料濃度が１２〜１５重量％、粘度が１５ｃｐｓになるように、各々調整して添加し、赤色、緑色、及び青色着インキを得た。
【００８８】
図１に示されるインクジェット印刷装置を用いて、着色層を形成した。ここで、セル数はノズルの並び方向に対して７６８セル、基板の搬送方向に対して１３６０セルである。
【００８９】
まず、本発明によるカラーフィルタの製造方法に用いられる基板と同様の隔壁パターンからなる検査用基板を用意し、インキの吐出を行った。次に、前述の基準データを得る手段として輝度計を選択し、この検査用基板の各セルの輝度値を測定することによって色ムラの分布を求めた。この結果、同一ノズルヘッドセットの組み合わせによって塗工された基板搬送方向のセルラインの吐出量バラツキは、セルライン間の吐出量バラツキに比べて十分小さかった。したがって、図６のように副走査方向へは測定で求められた基準データを各セルへ配置し、主走査方向へは副走査方向へ配置された基準データを繰り返し配置することで、隣接するセルライン間の輝度差（以下、隣接輝度差）を小さくする調整を行った。
【００９０】
輝度測定によって得られた基準データと図１０（ｆ）の誤差拡散フィルタを用いて多値誤差拡散法による調整を行った。調整前後の隣接輝度差のヒストグラムを図１１に示す。
【００９１】
実験により隣接輝度差を０．１以下にすることで、人間の目に見える色ムラを解消できることが分かっているが、本発明による調整の結果、ほぼ全てのセルについて隣接輝度差を０．１以下に抑えることができた。
【００９２】
次にざらつき感について評価を行った。比較のため、基準データに基づき吐出量を変更
するセルを乱数によって配置する手法で基板を作製した。
【００９３】
まず、目視による比較を行った。光源としてＮａランプを用意し、光源の前に多値誤差拡散法による調整を行った基板と乱数による調整を行った基板を並べた。２０人の被験者に対して、２つの基板がどちらの手法で作製されたものかは伝えず、観察距離２５０ｍｍから１０００ｍｍの間で両者を比較してもらい、ざらつき感が少なく感じる基板を選択してもらった。その結果、２０人の被験者全てが多値誤差拡散法によって作製された基板をざらつき感が少ないと判断した。
【００９４】
次に、マイクロデンシトメータ（微小濃度計）によって２つの基板それぞれの濃度分布を測定し、濃度分布の振幅スペクトルとＶＴＦ曲線から粒状度を求めた。結果を図１２に示す。図１２は乱数による調整を行った基板の粒状度を１００としたときの、多値誤差拡散法による調整を行った基板の粒状度を表している。図１２より、全ての観察距離において、多値誤差拡散法によって作製された基板の粒状度が低いことが分かる。
【００９５】
したがって、目視による主観的な評価と、マイクロデンシトメータによる客観的な評価の双方で、本発明により作製されたカラーフィルタのざらつき感が少ないという結果が得られた。
【００９６】
以上のように、本発明によって、色ムラとざらつき感を同時に低減した高品質なカラーフィルタを作製することができることが確認できた。
【符号の説明】
【００９７】
１…インクジェットノズルヘッド
２…インクジェットノズルヘッドユニット
３…基板置き台
４…インクジェットノズルヘッドコントローラー
５…ノズル
６…有効なノズル
７…セル
８…調整セル
【図１】
2010224248.tif 000007
【図２】
2010224248.tif 000008
【図３】
2010224248.tif 000009
【図４】
2010224248.tif 000010
【図５】
2010224248.tif 000011
【図６】
2010224248.tif 000012
【図７】
2010224248.tif 000013
【図８】
2010224248.tif 000014
【図１０】
2010224248.tif 000015
【図１２】
2010224248.tif 000016
【図９】
2010224248.tif 000017
【図１１】
2010224248.tif 000018